(57)【特許請求の範囲】
【請求項１】
メインノードと第１及び第２無線ノードのそれぞれとの間の第１及び第２関連付けを確立する方法であって、
前記第１関連付けは前記メインノードの第１バーチャルアクセスポイントと前記第１無線ノードとを関連付けし、前記第１バーチャルアクセスポイントは、前記第１関連付けを表す第１情報アイテムを有する第１ビーコンフレームを前記第１無線ノードに送信し、前記第１バーチャルアクセスポイントはサービスセット識別子により特定され、
前記メインノードが前記第２関連付けの確立に対するリクエストを前記第２無線ノードから受信すると、当該方法は、コントローラのレベルにおいて、
前記第１及び第２関連付けにおいて前記第１及び第２無線ノードによりそれぞれ利用される物理的変調にリンク付けされた前記第１及び第２無線ノードにより実現される第１及び第２データ伝送ビットレートと、前記第１及び第２関連付けにおいて送信されるデータの性質に従って前記第１及び第２無線ノードによりそれぞれ要求される第１及び第２データ伝送ビットレートとを初期化するステップと、
前記第２関連付けを示す第２情報アイテムを有する第２ビーコンフレームを前記第２無線ノードに送信する前記メインノードの第２バーチャルアクセスポイントを生成するステップであって、前記第２バーチャルアクセスポイントは前記サービスセット識別子により特定される、前記生成するステップと、
前記第１無線ノードと前記第１バーチャルアクセスポイントとが送信を禁止される第１時間インターバルと、前記第２無線ノードと前記第２バーチャルアクセスポイントとが送信を禁止される第２時間インターバルとを決定するステップと、
前記第２無線ノードと前記第２バーチャルアクセスポイントとの間の第２の関連付けを確立するステップと、
前記第１又は第２時間インターバル中の送信の禁止を示す少なくとも１つのｑｕｉｅｔ情報アイテムを前記第１及び第２無線ノードに送信するステップと、
を有する方法。
【請求項２】
フレーム期間が設定され、
前記第１及び第２時間インターバルは、前記フレーム期間に比例すると共に、前記第１無線ノードにより実現される前記第１データ伝送ビットレート、前記第１無線ノードにより要求される前記第１データ伝送ビットレート、及び前記第２無線ノードにより要求される前記第２データ伝送ビットレートに関して比例する期間を有する、請求項１記載の方法。
【請求項３】
前記メインノードは、アクセスポイントであり、
前記第１及び第２無線ノードは、前記アクセスポイントに関連付けされる、請求項１又は２記載の方法。
【請求項４】
前記ｑｕｉｅｔ情報は、ビーコンフレームの少なくとも１つのＱｕｉｅｔ  Ｅｌｅｍｅｎｔに構成される、請求項１乃至３何れか一項記載の方法。
【請求項５】
メインノードと第１及び第２無線ノードのそれぞれとの間の第１及び第２関連付けを確立するコントローラであって、
前記第１関連付けは前記メインノードの第１バーチャルアクセスポイントと前記第１無線ノードとを関連付けし、前記第１バーチャルアクセスポイントは、前記第１関連付けを表す第１情報アイテムを有する第１ビーコンフレームを前記第１無線ノードに送信し、前記第１バーチャルアクセスポイントはサービスセット識別子により特定され、
当該コントローラは、
前記第１及び第２関連付けにおいて前記第１及び第２無線ノードによりそれぞれ利用される物理的変調にリンク付けされた前記第１及び第２無線ノードにより実現される第１及び第２データ伝送ビットレートと、前記第１及び第２関連付けにおいて送信されるデータの性質に従って前記第１及び第２無線ノードによりそれぞれ要求される第１及び第２データ伝送ビットレートとを初期化する手段と、
前記第２関連付けを示す第２情報アイテムを有する第２ビーコンフレームを前記第２無線ノードに送信する前記メインノードの第２バーチャルアクセスポイントを生成する手段であって、前記第２バーチャルアクセスポイントは前記サービスセット識別子により特定される、前記生成する手段と、
前記第１無線ノードと前記第１バーチャルアクセスポイントとが送信を禁止される第１時間インターバルと、前記第２無線ノードと前記第２バーチャルアクセスポイントとが送信を禁止される第２時間インターバルとを決定する手段と、
前記第２無線ノードと前記第２バーチャルアクセスポイントとの間の第２の関連付けを確立する手段と、
前記第１又は第２時間インターバル中の送信の禁止を示す少なくとも１つのｑｕｉｅｔ情報アイテムを前記第１及び第２無線ノードに送信する手段と、
を有するコントローラ。
【発明の詳細な説明】
【技術分野】
【０００１】
本発明は、通信領域に関し、より詳細には少なくとも２つの無線ノードを有するローカル有線又は無線ネットワークの管理に関する。
【背景技術】
【０００２】
従来技術によると、ＷＬＡＮ（Ｗｉｒｅｌｅｓｓ  Ｌｏｃａｌ  Ａｒｅａ  Ｎｅｔｗｏｒｋ）又はＬＡＮ（Ｌｏｃａｌ  Ａｒｅａ  Ｎｅｔｗｏｒｋ）ネットワークの複数のアーキテクチャが知られている。これらの一部は、ＭＩＭＯ（Ｍｕｌｔｉｐｌｅ  Ｉｎｐｕｔ  Ｍｕｌｔｉｐｌｅ  Ｏｕｔｐｕｔ）又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などの各種の高度な技術に関する増大した送信電力などを利用することによって、家庭やビルのフロアなどのスペースをカバーするため、単一のアクセスポイントを利用する。従って、Ｗｉ−Ｆｉ（登録商標）（８０２．１１ｎ規格に基づく）ネットワークアクセスポイントは、ＭＩＭＯ及びＯＦＤＭ技術を利用して９０メーターの半径の範囲内で１００Ｍｂｉｔｓ／ｓの実際のビットレートを達成し、ＨｉｐｅｒＬＡＮ２ネットワークとのアクセスポイントは、４５メーターの半径の範囲内で５０Ｍｂｉｔｓ／ｓのビットレートを達成する。単一のアクセスポイントに基づくこのようなアーキテクチャは、近傍エリアに関して高レベルの干渉を生じさせる不利益と、特に伝送信号の強力な減衰を生じさせる壁やパネルなどの物理的障害によりアクセスポイントから切り離されたゾーンにおいてカバー対象のスペース全体をカバーしないリスクとを与える。さらに、増大した送信電力の利用は、電磁放射に対する露出の増大とリンクしたリスクに関する公衆衛生の問題を生じさせる。
【０００３】
ＨｅｕｓｓｅらによるＩＥＥＥ  ＩＮＦＯＣＯＭ  ２００３のプロシージャにおける“Ｐｅｒｆｏｒｍａｎｃｅ  ａｎｏｍａｌｙ  ｏｆ  ８０２．１１ｂ”は、同一のアクセスポイントに接続されるいくつかのノードが他のノードより低いビットレートを有するとき、すべてのノードのパフォーマンスは、アクセスノードの近くにあったとしても全体的に低下することを指摘した。このような状況は、アクセスポイントからかなり遠くに配置されたノードにより送信された信号が干渉を受ける無線ローカルネットワークにおいて頻繁に遭遇する。
【０００４】
この問題を解決するため、ノードはそれの変調タイプを変更し、これは、それの接続のビットレートを低下させる。概して、８０２．１１ｂ規格によるノードは、送信エラーが検出されると、１１Ｍｂ／ｓから５．５Ｍｂ／ｓ又は１Ｍｂ／ｓに徐々にそれのビットレートを低下させる。このような状況では、このビットレートの低下は、すべてのノードに対するチャネルへのアクセスの確率の長期的な平等を保証するＣＳＭＡ／ＣＡチャネルへのアクセス方法によって、他のすべての送信モードのビットレートに対して影響を与える。ノードがそれのビットレートが低いために長期間にチャネルをファゴサイト（ｐｈａｇｏｃｙｔｅ）するとき、それは、より高いビットレートを有する他のノードを不利にする。
【０００５】
データがアクセスポイントのみを介し送信されるとき（すなわち、ダウンリンクのみにおいて）、又はスケジューラが時間多重を実行し、各種ノードを調整し、競合（ｃｏｎｔｅｎｔｉｏｎ）のゾーンを排除するとき、上記問題を解決するための解決手段が存在する。すなわち、これは、例えば、８０２．１１規格のＰＣＦモードや８０２．１６規格などのケースである。
【０００６】
本発明は、少なくとも２つの無線ノードの双方が同一のアクセスポイントにデータを送信しようとし（すなわち、アップリンクにおいて）、これを実行するため同一のチャネルを共有する必要がある有線又は無線ＣＳＭＡネットワークに関してある。実際、スケジューラが異なるアクセスポイントを利用してダウンリンクデータ伝送を調整することが可能である場合、スケジューラは、アップリンクデータ伝送を調整することはできない。アップリンクデータ伝送のケースでは、無線ノードはリソースを独占可能であり、他のすべての通信をブロックすることができる。チャネルにアクセスするためのランダムタイプの方法を実現するネットワークでは、有線ネットワークについては、ＣＳＭＡ／ＣＡを利用したＧＮｅｔ、ＣＳＭＡ／ＣＡを利用したＡｐｐｌｅｓ  ＬｏｃａｌＴａｌｋ、ＣＳＭＡ／ＣＤ（Ｃａｒｒｉｅｒ  Ｓｅｎｓｅ  Ａｃｃｅｓｓ  ｗｉｔｈ  Ｃｏｌｌｉｓｉｏｎ  Ｄｅｔｅｃｔｉｏｎ）を利用したイーサネット（登録商標）（ＩＥＥＥ８０２．３規格に基づく）又はＣＳＭＡ／ＣＡを利用したＩＴＵ−Ｔ  Ｈ．ｈｎと、無線ネットワークについては、ＣＳＭＡ／ＣＡを利用したＷｉ−Ｆｉ（登録商標）ネットワーク（ＩＥＥＥ８０２．１１−２００７規格に基づく）、ＣＳＭＡ／ＣＡを利用したＩＥＥＥ８０２．１５規格に基づくＷＰＡＮ（Ｗｉｒｅｌｅｓｓ  Ｐｅｒｓｏｎａｌ  Ａｒｅａ  Ｎｅｔｗｏｒｋ）無線パーソナルネットワーク又はＣＳＭＡ／ＣＡを利用したＷａｖｅＬＡＮを引用することができる。
【発明の概要】
【発明が解決しようとする課題】
【０００７】
本発明の目的は、従来技術の問題点を解決することである。
【０００８】
より詳細には、本発明の目的は、メインノード（又はアクセスポイント）と第１ノードとの間のリンクの劣化が、特にｈｔｔｐ規格に基づく適応的ストリーミング通信の範囲において当該メインノードとネットワークのその他のノードとの間のリンクを劣化させないように、トラフィックのストリームを隔離することである。これを実行するため、メインノードは、リンクと同数のバーチャルアクセスポイントから切断され、コントローラは、各クライアントにより示される帯域幅（又はビットレート）の要求に従う媒体へのアクセス、利用される変調、又は保証されるＱｏＳを要求する又はベストエフォートモードを充足する送信対象のストリームタイプの共有を実行する。当該共有は、他のクライアントがサイレントなままである間に各クライアントが通信するよう設定される期間の評価によって、アクセスポイントのレベルにおいて実行される。これらの期間の長さは、利用可能な合計ビットレート、フレームの期間及び各クライアントのレベルにおいて利用可能なビットレートの知識を利用して決定され、特に利用される変調レートとデータストリーム毎の要求されるビットレートとの関数である。
【課題を解決するための手段】
【０００９】
本発明は、メインノード１１と第１及び第２無線ノード１１１、１１２のそれぞれとの間の第１及び第２関連付けを確立する方法であって、前記第１関連付けは前記メインノード１１の第１バーチャルアクセスポイントＶＡＰ１と前記第１ノード１１１とを関連付けし、前記第１バーチャルアクセスポイントＶＡＰ１は、前記第１関連付けＢＳＳ１を表す第１情報アイテムＢＳＳＩＤ１を有する第１ビーコンフレーム４１１を前記第１ノード１１１に送信し、前記第１バーチャルアクセスポイントＶＡＰ１はサービスセット識別子ＳＳＩＤにより特定される方法に関する。
【００１０】
本発明によると、前記メインノード１１が前記第２関連付けＢＳＳ２の確立に対するリクエストを前記ノード１１２から受信すると、当該方法は、コントローラのレベルにおいて、
−前記第１及び第２関連付けのパラメータを収集するステップと、
−前記第２関連付けを示す第２情報アイテムＢＳＳＩＤ２を有する第２ビーコンフレーム４２１を前記第２ノード１１２に送信する前記メインノード１１の第２バーチャルアクセスポイントＶＡＰ２を生成するステップであって、前記第２バーチャルアクセスポイントＶＡＰ２は前記サービスセット識別子ＳＳＩＤにより特定される、前記生成するステップと、
−前記第１ノード１１１と前記第１バーチャルアクセスポイントＶＡＰ１とが送信を禁止される第１時間インターバル４２と、前記第２ノード１１２と前記第２バーチャルアクセスポイントＶＡＰ２とが送信を禁止される第２時間インターバル４１とを前記パラメータから推定するステップと、
−前記第２ノード１１２と前記第２バーチャルアクセスポイントＶＡＰ２との間の第２の関連付けを確立するステップと、
−前記第１又は第２時間インターバル４２、４１中の送信４１０、４２０の禁止を示す少なくとも１つのｑｕｉｅｔ情報アイテムを前記第１及び第２ノード１１１、１１２に送信するステップとを有する。
【００１１】
効果的には、前記第１及び第２関連付けにおいて前記第１及び第２ノード１１１、１１２によりそれぞれ利用される物理的変調にリンク付けされた前記第１及び第２ノードにより実現される第１及び第２データ伝送ビットレートｄｒ１、ｄｒ２と、前記第１及び第２関連付けにおいて送信されるデータの性質に従って前記第１及び第２ノード１１１、１１２によりそれぞれ要求される第１及び第２データ伝送ビットレートＤＲ１、ＤＲ２とが、収集されるパラメータである。
【００１２】
効果的には、前記コントローラは、フレーム期間を設定し、前記第１及び第２時間インターバル４２、４１は、前記フレームの期間に比例すると共に、前記第１ノード１１１により実現される前記第１データ伝送ビットレートｄｒ１、前記第１ノード１１１により要求される前記第１データ伝送ビットレートＤＲ１、及び前記第２ノード１１２により要求される前記第２データ伝送ビットレートＤＲ２に関して比例する期間を有する。
【００１３】
効果的には、前記第１及び第２関連付けにおいて前記第１及び第２ノード１１１、１１２によりそれぞれ利用される物理的変調にリンク付けされた前記第１及び第２ノード１１１、１１２により実現される合計データ伝送ビットレートｄｒと、前記第１及び第２関連付けにおいて送信されるデータの性質に従って前記第１及び第２ノード１１１、１１２のそれぞれにより要求される第１及び第２データ伝送ビットレートＤＲ１、ＤＲ２とは、収集されたパラメータである。効果的には、前記コントローラは、フレーム期間を設定し、前記第２及び第１時間インターバル４２、４３は、前記フレームの期間に比例すると共に、前記実現される合計データ伝送ビットレートに対する前記第１ノード１１１により要求される前記第１データ伝送ビットレートＤＲ１と、前記実現される合計データ伝送ビットレートに対する前記第２ノード１１２により要求される前記第２データ伝送ビットレートＤＲ２とに比例する期間を有する。
【００１４】
効果的には、前記メインノード１１は、アクセスポイントであり、前記第１及び第２ノード１１１、１１２は、前記アクセスポイントに関連付けされる。
【００１５】
効果的には、前記サイレンス情報アイテムは、ビーコンフレーム４１１、４２１の少なくとも１つのサイレンスエレメント５６に構成される。
【発明の効果】
【００１６】
本発明の効果の１つは、それが複数のノードからのデータ交換が切断されることを可能にすることである。特に、クライアントとアクセスポイントとの間のリンクのクオリティは、当該アクセスポイントと他のクライアントとの間のリンクのクオリティの関数でない。
【００１７】
さらに、本発明は、無線ＣＳＭＡネットワークのアクセスポイントがそれのクライアントに帯域幅を割り当てることを可能にする。
【００１８】
本発明は、ファームウェア又はアクセスポイントドライバの更新によって実現可能であり、特に、それは既存のアクセスポイントに配置可能である。
【００１９】
最後に、本発明は、８０２．１１ｈ規格（５ＧＨｚ帯域で必須の）をサポートする無線局と直接的に互換する。
【図面の簡単な説明】
【００２０】
【図１】図１は、本発明の特定の実施例による複数のステーションに関連付けされたアクセスポイントにおける複数のバーチャルアクセスポイントを実現する無線システムを示す。
【図２】図２は、本発明の特定の実施例による図１のシステムのアクセスポイント及びステーションをそれぞれ図示する。
【図３】図３は、本発明の特定の実施例による図１のシステムのアクセスポイント及びステーションをそれぞれ図示する。
【図４】図４は、本発明の特定の実施例による図１のシステムの通信フレームの構成を図示する。
【図５】図５は、本発明の特定の実施例による図１のシステムの少なくとも１つのノードにより送信されるビーコンフレームのコンテンツを図示する。
【図６】図６は、本発明の特定の実施例によるメインノードと第１及び第２ノードとの間でそれぞれ切断される第１及び第２の関連付けを確立する方法を示す。
【図７】図７は、変調物理モードによる無線システムのノードの異なるデータビットレートを提供するテーブルである。
【発明を実施するための形態】
【００２１】
本発明は、Ｗｉ−Ｆｉタイプ無線ローカルネットワーク（ＩＥＥＥ８０２．１１ａ、ＩＥＥＥ８０２．１１ｂ、ＩＥＥＥ８０２．１１ｄ、ＩＥＥＥ８０２．１１ｅ、ＩＥＥＥ８０２．１１ｇ、ＩＥＥＥ８０２．１１ｈ、ＩＥＥＥ８０２．１１ｉ、ＩＥＥＥ８０２．１１ｊ規格（“ＩＥＥＥ  Ｓｔａｎｄａｒｄ  ｆｏｒ  Ｉｎｆｏｒｍａｔｉｏｎ  ｔｅｃｈｎｏｌｏｇｙ−ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ／Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ”のタイトルによるリファレンスＩＥＥＥ８０２．１１  ＴＭ−２００７又はＩＥＥＥ８０２．１１ｎの下でＩＥＥＥにより編集された）を実現する特定の実施例に従って非限定的に説明される。当然ながら、本発明は、Ｗｉ−Ｆｉ（登録商標）タイプの無線ネットワークにおける実現形態に限定されず、本発明の原理は、ＡＬＯＨＡ、ＣＳＭＡ、ＣＳＭＡ／ＣＡ又はＣＳＭＡ／ＣＤなどの部分的ランダムタイプチャネルアクセス方法を利用した何れかのタイプのローカル有線又は無線ネットワーク、ＧＮｅｔ、Ａｐｐｌｅ’ｓ  ＬｏｃａｌＴａｌｋ、イーサネット（登録商標）（ＩＥＥＥ８０２．３規格に基づく）、ＩＴＵ−Ｔ  Ｇ．ｈｎタイプの有線ローカルネットワーク、又はＷＰＡＮ（ＩＥＥＥ８０２．１５規格に基づく）、ＷａｖｅＬＡＮ又はＡＬＯＨＡｎｅｔタイプの無線ローカルネットワークに当業者により適用される。
【００２２】
衝突を減少させるため、ネットワークにおけるアンテナ時間はｎ個のパーティションに分割され、ｎはネットワークにおけるノードの個数に対応する。異なるノードの間の平等は、各ノードが最高の変調を利用してそれのトラフィックの伝送において要求されるものに対応する専用の時間を有するときに保証される。この仮説は、トラフィック全体（それが最も高いビットレートで送信されるとき）がネットワークの最大キャパシティを超過しない非飽和ネットワークから構成される。各時間パーティションは、バーチャルアクセスポイントにより管理されるバーチャルローカルネットワークに対応し、それの実現形態が以降において説明される。
【００２３】
チャネル割当とこれのプロテクションの実現は、規格において利用可能なＱｕｉｅｔ  Ｅｌｅｍｅｎｔ（ＱＥとして示される）を介し実行される。ビーコンフレームを介し送信される当該エレメントは、バーチャルアクセスポイントが他のバーチャルアクセスポイントに割り当てられた時間インターバル中のそれのステーションへのすべての送信を禁止することを可能にする。各ＢＳＳのビーコンフレームは、複数のＱＥから構成可能である。従って、図４に示されるように、２つのＱＥ４１０，４２０が、ビーコンインターバル（２つのビーコンの送信の間の時間）において２つのサブフレームを生成するのに利用される。ビーコンフレームの送信がオフセットである場合（２つのＢＳＳの間で）、ｑｕｉｅｔインターバルは常に同期されている。ビーコンフレームの送信がまたビジーチャネルにより遅延された場合、ｑｕｉｅｔインターバルは、ＴＢＴＴ（Ｔａｒｇｅｔ  Ｂｅａｃｏｎ  Ｔｒａｎｓｍｉｓｓｉｏｎ  Ｔｉｍｅ）に関して規定されているため、同期されたままである。
【００２４】
図１は、複数のノードを実現する本発明の特定の実施例による無線ローカルネットワークタイプの無線通信システム１を示す。ネットワークインフラストラクチャモードでは、ノード１１は、移動又は固定アクセスポイントとして機能し、他のノード１１１、１１２は固定又は移動局として機能する。ステーション１１１は、データ通信用（すなわち、送信及び／又は受信）のアクセスポイント１１と関連付けされ、アクセスポイント１１により第１ＢＳＳ（Ｂａｓｉｃ  Ｓｅｒｖｉｃｅ  Ｓｅｔ）１を構成する。この関連付けは、アクセスポイント１１において構成される第１バーチャルアクセスポイントＶＡＰ１により生成される。ステーション１１１とバーチャルアクセスポイントＶＡＰ１との間の関連付け、又はステーションとバーチャルアクセスポイントセットとの間の関連付けが、後述される方法と同様にして利用され、ＢＳＳ１として参照される。当該第１の関連付けＢＳＳ１を表す情報要素ＢＳＳＩＤ１（Ｂａｓｉｃ  Ｓｅｒｖｉｃｅ  Ｓｅｔ  ＩＤｅｎｔｉｆｉｅｒ）は、第１バーチャルアクセスポイントＶＡＰ１により送信されるビーコンフレームにおいて送信される。ステーション１１２は、データ通信用にアクセスポイント１１と関連付けされ、アクセスポイント１１により第２セットＢＳＳ２１を構成する。当該関連付けは、アクセスポイント１１において構成される第２バーチャルアクセスポイントＶＡＰ２により生成される。当該第２の関連付けを表す情報要素ＢＳＳＩＤ２は、第２バーチャルアクセスポイントＶＡＰ２により送信されるビーコンフレームにおいて送信される。
【００２５】
これら２つのセットＢＳＳ１及びＢＳＳ２は、無線システム１の名前を表すビーコンフレームにより送信されるＢＳＳ１及びＢＳＳ２を有するセットを表すＳＳＩＤ（Ｓｅｒｖｉｃｅ  Ｓｅｔ  ＩＤｅｎｔｉｆｉｅｒ）情報要素が、バーチャルアクセスポイントＶＡＰ１，ＶＡＰ２を介し送信される。
【００２６】
ステーション１１１、１１２はそれぞれ、ＢＳＳ１、ＢＳＳ２を構成するバーチャルアクセスポイントＶＡＰ１、ＶＡＰ２とデータ（又はデータパケット）を交換（送信又は受信）することができる。効果的には、ＢＳＳは、特定の物理チャネルを利用してデータを交換し、物理チャネルは、サブキャリア、時間インターバル、干渉レベル及びＣＤＭＡ（Ｃｏｄｅ  Ｄｉｖｉｓｉｏｎ  Ｍｕｌｔｉｐｌｅ  Ａｃｃｅｓｓ）アクセスのケースでは同一のスプレッドコードのリストを有するパラメータ群により特徴付けされる。
【００２７】
５ＧＨｚ帯域は、５．１５ＧＨｚと５．３５ＧＨｚとの間又は５．４７ＧＨｚと５．８７５ＧＨｚとの間にすべての周波数が含まれる周波数帯域などに対応する。５ＧＨｚ物理チャネルは、例えば、上述された周波数インターバルの１つにすべての周波数が配置される１０、２０又は４０ＭＨｚなどの幅のチャネルに対応する。２．４ＧＨｚ帯域は、例えば、２．４ＧＨｚと２．５ＧＨｚとの間にすべての周波数が含まれる周波数帯域などに対応する。２．４ＧＨｚ物理チャネルは、すべての周波数が上述された周波数インターバルの１つに配置される１０、２０又は２２ＭＨｚなどの幅のチャネルに対応する。
【００２８】
効果的には、特にデータ交換の調整のための機構でなく物理チャネルへのランダムアクセスを提供するＣＳＭＡアクセスのケースでは、ダウンリンク又はアップリンクデータを交換する物理チャネルの共有化は、各リンクについて要求される異なるビットレートに従ってチャネルの時間分割を介し実行される。この時間分割の実現は、規格において利用可能なＱＥ４１０，４２０の定義を有する。ビーコンフレームに属するＱＥは、バーチャルアクセスポイント（ＶＡＰ）がバーチャルアクセスポイントからそれが関連付けされているステーションへのデータの送信と、他のバーチャルアクセスポイントについてリザーブされた時間中のステーションから当該バーチャルアクセスポイントへのデータの送信とを禁止することを可能にする。バーチャルアクセスポイントのｑｕｉｅｔ時間インターバルと、バーチャルアクセスポイントにより送信される対応するビーコンフレームとの定義が、図４及び５を参照してリストされる。
【００２９】
効果的には、システム１のアクセスポイント１１は固定装置である。しかしながら、本発明は、移動アクセスポイント１１に互換的である。
【００３０】
ステーション１１１〜１１２は、携帯電話、移動端末、ラップトップ、ＰＣ（パーソナルコンピュータ）又はＰＤＡ（Ｐｅｒｓｏｎａｌ  Ｄｉｇｉｔａｌ  Ａｓｓｉｓｔａｎｔ）などの移動又は固定局とすることが可能である。
【００３１】
図２は、図１のノード１１などに対応するアクセスポイント２のハードウェア実施例を図示する。
【００３２】
アクセスポイント２は、クロック信号をトランスポートするアドレス及びデータのバス２４により互いに接続される以下の要素、
−マイクロプロセッサ２１（又はＣＰＵ）
−ＲＯＭ（Ｒｅａｄ  Ｏｎｌｙ  Ｍｅｍｏｒｙ）タイプ２２の不揮発性メモリ
−ランダムアクセスメモリ又はＲＡＭ２３
−無線インタフェース２６
−データ送信用に構成され（例えば、サービスのブロードキャスト、マルチポイントツーポイント又はポイントツーポイント伝送など）、特に符号化手段及び／又はＰＦＤＭ変調手段の機能を実行するインタフェース２７
−バーチャルアクセスポイント、すなわち、ビーコンフレーム時間リファレンスＢＳＳ１とＢＳＳ２との間の同期オフセットを計算し、インタフェース２７を同期させるよう構成されるインタフェース２８、及び／又は
−ユーザに情報を表示し、及び／又はデータ若しくはパラメータ（送信対象のデータ及びサブキャリアのパラメータの設定など）を入力するのに適したＭＭＩ（Ｍａｎ  Ｍａｃｈｉｎｅ  Ｉｎｔｅｒｆａｃｅ）２９又は特定のアプリケーション
を有する。
【００３３】
メモリ２２、２３の説明において用いられる“レジスタ”という単語は説明された各メモリにおいて、低キャパシティのメモリゾーン（バイナリデータ）と共に、大きなキャパシティのメモリゾーン（プログラム全体が格納されること、又は受信データを表すデータのすべて又は一部がブロードキャストされることを可能にする）を示すことに留意されたい。
【００３４】
メモリＲＯＭ２２は、特に
−“ｐｒｏｇ”２２０プログラム、及び
−物理レイヤのパラメータ２２１
を有する。
【００３５】
後述される本発明に固有の方法のステップを実現するアルゴリズムが、これらのステップを実現するアクセスポイント２に関連するＲＯＭ２２のメモリに格納される。電源がアップされると、マイクロプロセッサ２１は、これらのアルゴリズムの命令をロード及び実行する。
【００３６】
ランダムアクセスメモリ２３は、特に
−レジスタ２３０において、アクセスポイント２をスイッチオンするマイクロプロセッサ２１のオペレーティングプログラム
−送信パラメータ２３１（例えば、変調、符号化、フレーム再帰のためのパラメータ、各ステーションに割り当てられた時間によるテーブル及びおそらく他のパラメータ（ストリームタイプ、ステーション識別子、ＭＡＣアドレス、要求されるビットレート及び優先順位）など）
−受信パラメータ２３２（例えば、変調、符号化及びフレーム再帰のためのパラメータなど）
−入力データ２３３
−データ送信用の符号化データ２３４
−ｑｕｉｅｔ情報２３５のアイテム、及び
−物理チャネル２３６のパラメータ（例えば、決定された時間インターバル、決定されたコード及び／又はアクセスポイント２によるデータの送信時に決定されたサブキャリアのインターバルなどの割当て）
を有する。
【００３７】
無線インタフェース２６は、必要な場合にシステム１のノード１１１又は１１２により送信される信号の受信のため構成される。
【００３８】
異なるステーションへのバーチャルアクセスポイントの割当てを実行し、媒体の時間的共有を推定するコントローラは、効果的には、プロセッサ２１のアプリケーションにより実現される。バーチャルアクセスポイントはまた、効果的には、プロセッサ２１のアプリケーションにより実現される。
【００３９】
図３は、ノード１１１又は１１２などに対応し、アクセスポイント２に信号を送信するためアクセスポイント２を介し送信される信号を受信及び復号化するよう構成されるシステム１に属するステーション３のハードウェア実施例を図示する。
【００４０】
ステーション３は、クロック信号をトランスポートするデータ及びアドレスのバス３４により互いに接続される以下の要素
−マイクロプロセッサ３１（又はＣＰＵ）
−ＲＯＭ（Ｒｅａｄ  Ｏｎｌｙ  Ｍｅｍｏｒｙ）タイプ３２の不揮発性メモリ
−ランダムアクセスメモリ又はＲＡＭ３３
−無線インタフェース３６
−データ送信用に構成されるインタフェース３７、及び
−ユーザに情報を表示し、及び／又はデータ若しくはパラメータ（例えば、送信されるデータ及びサブキャリアのパラメータの設定など）を入力するよう構成されるＭＭＩインタフェース３８
を有する。
【００４１】
メモリ３２、３３の説明において用いられる“レジスタ”という単語は、上述された各メモリにおいて、低キャパシティのメモリゾーンと共に大きなキャパシティのメモリゾーン（プログラム全体が格納されることを可能にするか、又は受信若しくは復号化されたデータセットを表すデータのすべて若しくは一部）とを示すことに留意されたい。
【００４２】
メモリＲＯＭ３２は、特に
−“ｐｒｏｇ”３２０プログラム、及び
−物理レイヤのパラメータ３２１
を有する。
【００４３】
後述される本発明に固有の方法のステップを実現するアルゴリズムが、これらのステップを実現するステーション３に関連するＲＯＭメモリに格納される。電源がアップされると、マイクロプロセッサ３１は、これらのアルゴリズムの命令をロード及び実行する。
【００４４】
ランダムアクセスメモリ３３は、特に
−レジスタ３３０において、移動端末３をスイッチオンするマイクロプロセッサ３１のオペレーティングプログラム
−受信パラメータ３３１（例えば、変調、符号化及びフレーム再帰のためのパラメータなど）
−送信パラメータ３３２（例えば、変調、符号化及びフレーム再帰のためのパラメータなど）
−受信機３６により受信及び復号化されたデータに対応する入力データ３３３
−インタフェースにおいてアプリケーション３９に送信されるよう構成される復号化されたデータ３３４
−ｑｕｉｅｔ情報２３５のアイテム、及び
−物理チャネルパラメータ２３６（例えば、データ送信時に決定されるコードの決定された周波数帯域の割当てなど）
を有する。
【００４５】
図２及び３に関して説明された以外のアクセスポイント２及び／又はステーション３の他の構成は、本発明に互換的である。特に、変形によると、本発明に互換的なアクセスポイント及び／又は移動端末は、例えば、専用コンポーネント（ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）又はＶＬＳＩ（Ｖｅｒｙ  Ｌａｒｇｅ  Ｓｃａｌｅ  Ｉｎｔｅｇｒａｔｉｏｎ）など）又はデバイスに統合された複数の電子コンポーネントの形態による純粋なハードウェアの実施例、又はハードウェア要素とソフトウェア要素との組み合わせの形態などにより実現される。
【００４６】
無線インタフェース３６は、システム１のノード１１により送信される信号の受信に適している。
【００４７】
図４は、本発明の特に効果的な非限定的な実施例によるシステム１の通信フレームの構成を図示する。
【００４８】
通信フレーム４は、各サブフレームが所与のＢＳＳのノード間で自らを確立する通信に割り当てられる２つのサブフレーム４１、４２に時間的に分割される。インフラストラクチャノードにおけるネットワークのケースでは、各サブフレームは各ＢＳＳのアクセスポイントに割り当てられる。システム１では、サブフレーム４１はＢＳＳ１のバーチャルアクセスポイントＶＡＰ１に割り当てられ、サブフレーム４２はＢＳＳ２のバーチャルアクセスポイントＶＡＰ２に割り当てられる。各サブフレームにおいて、ＢＳＳのノード（すなわち、バーチャルアクセスポイントとこれに関連付けされるステーション）は、当業者に知られるＩＥＥＥ８０２．１１−２００７規格のＭＡＣ規格機構を利用し、ＣＳＭＡ／ＣＡの機構は、例えば、チャネルをリザーブするＲＴＳ／ＣＴＳフレーム、“バックオフ”、ＱｏＳ（Ｑｕａｌｉｔｙ  ｏｆ  Ｓｅｒｖｉｃｅ）  ＥＤＣＡ、Ａ−ＭＰＤＵ、ＡＣＫフレーム受信アクノリッジメントブロックなどを利用するか、又はＩＥＥＥ８０２．１１−２００７規格に示される他の何れかの機構であってもよい。効果的には、通信フレームの時間フレームのＢＳＳへの割当ては、コントローラにより実行される。コントローラは、例えば、バーチャルアクセスポイントに加えて、システム１のＥＳＳネットワークのアクセスポイントなどにおいて実現される。２つのＢＳＳを有するＥＳＳネットワークの各バーチャルアクセスポイントは、コントローラからサブフレームの割当てを示す情報アイテムを受信する。一変形によると、ＥＳＳネットワークのバーチャルアクセスポイントの１つはコントローラとして動作し、割当てを示す情報を他のバーチャルアクセスポイントに送信する。他の変形によると、サブフレームの割当ては、例えば、ネットワークのマネージャユーザなどによってＢＳＳ１及びＢＳＳ２の各バーチャルアクセスポイントのメモリに格納される。
【００４９】
第１サブフレーム４１中、ＢＳＳ１のバーチャルアクセスポイントＶＡＰ１は、関連付けされているステーション１１１宛てのビーコンフレーム４１１を送信する。当該ビーコンフレームは、効果的には、ＢＳＳ２に割り当てられるサブフレーム４２中に送信するための禁止を示すｑｕｉｅｔ情報アイテムを有する。サブフレーム４２中に送信するための当該禁止を受信すると、ステーション１１１は、それのネットワーク割当てベクトルＮＡＶ（Ｎｅｔｗｏｒｋ  Ａｌｌｏｃａｔｉｏｎ  Ｖｅｃｔｏｒ）（ＩＥＥＥ８０２．１１−２００７規格による）を配置し、サブフレーム４２に対応する時間インターバル中のデータの送信を禁止する。バーチャルアクセスポイントＶＡＰ１はまた、同じ時間インターバル中にそれのＮＡＶを配置する。バーチャルアクセスポイントＶＡＰ１と一方ではアクセスポイント１１との間と他方ではステーション１１１との間とのデータの通信は、インターバル４１２中に実行され、ｑｕｉｅｔ要素４１０が、サブフレーム４２に割り当てられた時間インターバル中にＢＳＳ１のノードに課される。
【００５０】
第２サブフレーム４２中、ＢＳＳ２のバーチャルアクセスポイントＶＡＰ２は、関連付けされているステーション１１２宛てのビーコンフレーム４２１を送信する。ビーコンフレーム４２１は、効果的には、ＢＳＳ１に割り当てられたサブフレーム４１中に送信するための禁止を示すｑｕｉｅｔ情報アイテムを有する。サブフレーム４１中に送信するための禁止を受信すると、バーチャルアクセスポイントＶＡＰ２及びステーション１１２はそれぞれ、各自のネットワーク割当てベクトルＮＡＶを配置し、これによりサブフレーム４１に対応する時間インターバル中のデータの送信を禁止する。バーチャルアクセスポイントＶＡＰ２と一方ではアクセスポイント１１との間と他方ではステーション１１２との間とのデータの通信は、時間インターバル４２２中に実行され、ｑｕｉｅｔ要素４２０が、サブフレーム４１の時間インターバル中にＢＳＳ２のノードに課される。
【００５１】
図５は、本発明の特に効果的な非限定的な実施例によるビーコンフレームのコンテンツを図示する。
【００５２】
効果的には、ビーコンフレーム５は、８０２．１１−２００７規格に従う。ＭＡＣ（Ｍｅｄｉｕｍ  Ａｃｃｅｓｓ  Ｃｏｎｔｒｏｌ  Ｈｅａｄｅｒ）フィールド５１は、ソース及びデスティネーションＭＡＣアドレスを示す情報アイテムを有し、デスティネーションアドレスは、例えば、対象となるＢＳＳのすべてのステーションに各ビーコンフレームを受信及び処理させるため、対象となるＢＳＳのステーションのすべてのアドレス（ブロードキャストタイプアドレスに対応する）に設定される。フィールドヘッダＭＡＣ５１はまた、例えば、フレームのタイプ及びサブタイプを有し（例えば、タイプ＝マネージメントフレーム、サブタイプ＝ビーコンなど）、あるいはビーコンフレームを送信したバーチャルアクセスポイントを有するＢＳＳ  ＢＳＳＩＤの識別子を有する（例えば、ソースアドレス、すなわち、ビーコンフレームを送信したバーチャルアクセスポイントにおけるアドレスなどに対応する）。
【００５３】
ビーコンフレームのボディは、ＭＡＣヘッダとＦＣＳ（Ｆｒａｍｅ  Ｃｈｅｃｋ  Ｓｅｑｕｅｎｃｅ）フィールドとの間に配置されるすべてのフィールドを有する。タイムスタンプフィールド５２は、それのローカルクロックを更新するため、ステーションにより利用される時間を表す情報アイテムを有する。当該情報は、ビーコンフレームの送信元のアクセスポイントに関連付けされたステーションが同期することを可能にする。ビーコンインターバルフィールド５３は、２つのビーコンフレームの送信の間の経過時間を示す情報アイテムを有する。当該情報は、特にスタンバイを継続することを所望するステーションがビーコンフレームを受信するためリスニング状態に移行すべき時点を知ることを可能にする。ビーコンインターバルは、例えば、１００ＴＵ（時間単位）、すなわち、１００＊１０２４μｓ＝１０２．４ｍｓなどに設定可能である。
【００５４】
Ｃａｐａｂｉｌｉｔｙ情報フィールド５４は、例えば、ＷＥＰ（Ｗｉｒｅｄ  Ｅｑｕｉｖａｌｅｎｔ  Ｐｒｉｖａｃｙ）キーを利用してネットワークに加入するための必要性など、ビーコンフレームを送信したアクセスポイントを有するＢＳＳに属するためステーションに要求される必須条件を表す情報アイテム、又はＤＦＳ（Ｄｙｎａｍｉｃ  Ｆｒｅｑｕｅｎｃｙ  Ｓｅｌｅｃｔｉｏｎ）スペクトルの管理のサポートを示す情報アイテムなどを有する。スペクトル管理のサポートを示すため、Ｃａｐａｂｉｌｉｔｙフィールド５４は、１に配置されたスペクトルマネージメントビットなどとして変換するスペクトルマネージメントサポート情報アイテムを有する。当該情報を受信したステーションは、ビーコンフレームを送信したアクセスポイントと自らとを関連付ける前に、ｄｏｔ１１ＳｐｅｃｔｒｕｍＭａｎａｇｅｍｅｎｔＲｅｑｕｉｒｅｄを真に配置する必要がある。ステーションがスペクトルマネージメントをサポートしない場合、それは、対象となるＢＳＳと関連付けすることができない。
【００５５】
ＳＳＩＤ（Ｓｅｒｖｉｃｅ  Ｓｅｔ  ＩＤｅｎｔｉｆｉｅｒ）フィールドは、ビーコンフレームの送信元のアクセスポイントを有するＢＳＳの識別情報を表す情報アイテムを有する。特定のＢＳＳとの関連付けを可能にする前に、ステーションは、バーチャルアクセスポイントと同じＳＳＩＤを有する必要がある。このとき、バーチャルアクセスポイントは、デフォルトによりそれが送信するビーコンフレームにＳＳＩＤを含める。
【００５６】
ｑｕｉｅｔフィールド５６は、ＱＥを表す情報アイテム、すなわち、ネットワークの１以上の通信フレームの１以上の所与の時間インターバル中にデータ又はデータパケットを送信した同一のＢＳＳに属するステーション及びバーチャルアクセスポイントを禁止する情報アイテムを有する。ｑｕｉｅｔフィールドは、
−ｑｕｉｅｔ要素識別子を表す情報アイテムを有する“エレメントＩＤ”フィールド５６１であって、ｑｕｉｅｔ要素は８０２．１１−２００７規格においてＩＤ４０により特定されるエレメントＩＤ”フィールド５６１
−ｑｕｉｅｔ要素に固有の４つのフィールドと共に、長さフィールドに続き、ｑｕｉｅｔ要素に固有のフィールドの累積長さ（バイトによる）を表す情報アイテムを有する“長さ”フィールド５６２であって、当該長さは８０２．１１−２００７規格によると８バイトである、“長さ”フィールド５６２、
−ｑｕｉｅｔインターバルが始まる次のビーコンインターバルまでのＴＢＴＴの個数を表す情報アイテムを有する“カウンタ”フィールド５６３であって、“カウンタ”フィールドの１の値は、次のｑｕｉｅｔインターバルが次のＴＢＴＴに続く、対象となるＱＥを記述したビーコンフレームの送信後に配置された最初のＴＢＴＴに続くビーコンインターバル中にスタートする、“カウンタ”フィールド
−同一のＢＳＳのＱＥに対応する２つのｑｕｉｅｔインターバルの間のビーコンインターバルの個数を表す情報アイテムを有する“期間（ｐｅｒｉｏｄ）”フィールド５６４
−例えば、４４ＴＵ、すなわち、４４＊１０２４μｓ＝４５．０５６ｍｓなどの時間単位ＴＵの個数などについて表されるｑｕｉｅｔインターバルの期間を表す情報アイテムを有する“持続期間（ｄｕｒａｔｉｏｎ）”フィールド５６５、及び
−ｑｕｉｅｔインターバルのスタートとＴＢＴＴ（Ｔａｒｇｅｔ  Ｂｅａｃｏｎ  Ｔｒａｎｓｍｉｓｓｉｏｎ  Ｔｉｍｅ）フレームとの間に存在する時間単位ＴＵにより表現される時間オフセットを示す情報アイテムを有する“オフセット”フィールド５６６であって、対象となるＴＢＴＴは“カウンタ”フィールド５６３において指定される、“オフセット”フィールド５６６
を含む複数のフィールドを有する。
【００５７】
効果的には、ビーコンフレーム５は、複数のＱＥ（例えば、２、３、５、１０又は２０個など）を記述し、すなわち、フレーム５は、各ｑｕｉｅｔフィールドがＱＥを表す情報アイテムを有する複数のｑｕｉｅｔフィールドを有する。各ｑｕｉｅｔフィールドは単一のＱＥに関連付けされるため、ビーコンフレーム５は、ビーコンフレームに記述されるＱＥと同数のｑｕｉｅｔフィールドを有する。例えば、２つのＢＳＳを有するネットワークの通信フレームが、例えば、１０個のサブフレームに分割され、５つのサブフレームが各ＢＳＳに割り当てられるとき、第１ＢＳＳにより送信されるビーコンフレームは、例えば、それぞれが第２ＢＳＳの通信に割り当てられた５つのサブフレームの１つに対応する５つのＱＥの記述のための５つのｑｕｉｅｔフィールドを有し、第２ＢＳＳにより送信されるビーコンフレームは、例えば、それぞれが第１ＢＳＳに割り当てられる５つのサブフレームの１つに対応する５つのＱＥの記述のための５つのｑｕｉｅｔフィールドを有する。
【００５８】
ビーコンフレーム５はまた、エラーの検出及び訂正に利用されるＦＣＳ（Ｆｒａｍｅ  Ｃｈｅｃｋ  Ｓｅｑｕｅｎｃｅ）フィールド又はＣＲＣ（Ｃｙｃｌｉｃ  Ｒｅｄｕｎｄａｎｃｙ  Ｃｈｅｃｋｉｎｇ）フィールドを有する。
【００５９】
効果的には、バーチャルアクセスポイントにより送信される各ビーコンフレームは、ＱＥの記述を有する。
【００６０】
図６は、本発明の特に効果的な非限定的実施例によるシステム１のメインノードにより実現される第１及び第２無線ノードとメインノードとのそれぞれの間の第１及び第２関連付けを確立する方法を示す。
【００６１】
初期化ステップ６０中に、メインノードの異なるパラメータが更新される。特に、送受信対象の信号と対応するチャネルとに対応するパラメータが、何れかの方法により初期化される（例えば、マスタノードとして知られるネットワークのノードの１つ、ネットワークのアクセスポイント、システム１の図示されないコントローラ若しくはサーバ、又はオペレータコマンドによって送信される初期化メッセージの受信などに続く）。
【００６２】
その後、ステップ６１中に、複数のバーチャルアクセスポイントが生成される。第１の変形によると、第１バーチャルアクセスポイントＶＡＰ１が、アクセスポイント１１において生成される。第１ステーション１１１が、当該バーチャルアクセスポイントと関連付けされ、それのＢＳＳＩＤ１により特定されるセットＢＳＳ１をそれにより構成する。第２バーチャルアクセスポイントＶＡＰ２は、アクセスポイント１１がステーション１１２を介し第２の関連付けを確立するためのリクエストを受信すると、以降において生成される。セットＢＳＳ１及びＢＳＳ２は、効果的にはそれのＳＳＩＤにより特定される同一のネットワークに属する。第２の変形によると、アクセスポイント１１が第２の関連付けの確立に対するリクエストを受信すると、バーチャルアクセスポイントＶＡＰ１及びＶＡＰ２が生成される。アクセスポイント１１は、その後に第１バーチャルアクセスポイントＶＡＰ１に変換される。第３の変形によると、バーチャルアクセスポイントのセットが、初期化段階後に同時に生成され、これにより、到来する関連付け確立リクエストについて利用可能なバーチャルアクセスポイントの準備を構成する。好適な実施例によると、多数のバーチャルアクセスポイントとして、隔離すべきステーションがあるとき、ＢＳＳが生成される。一変形では、単一のステーションが他のステーションから隔離される。当該変形は、テレビストリームなどを介しＱｏＳを保証することが求められる環境に特に良好に適応される。従って、ＶＡＰ１が生成され、決定された時間インターバル中に媒体へのアクセスを共有する複数のステーションに関連付けされ、セットＢＳＳ１を構成する。当該セットＢＳＳ１では、衝突やリンクの劣化の問題が発生する可能性がある。テレビストリームの例では、ＶＡＰ２が生成され、単一のステーションに関連付けされる。効果的には、当該ステーションは、他のステーションから隔離され、インターバルを有するＢＳＳ１において衝突やリンク劣化により影響を受けない。これにより、テレビストリームのＱｏＳは、ＶＡＰ２とステーションとの間のリンクが劣化しない点で保証される。他の変形では、アクセスポイントはステーションとしてみなされ、同一のセットＢＳＳに一緒にグループ化される他のステーションから隔離される。当該変形は、ダウンリンク通信のストリームがステーションのアップリンク通信のストリームのアクセスポイントから隔離されることを可能にするという効果を有する。効果的な実施例によると、アクセスポイント（又はアクセスポイントのコントローラ）は、何れのＶＡＰ上でステーションが関連付けされるか決定する。
【００６３】
その後、ステップ６２中に、各ＢＳＳについてリザーブされている時間インターバルの推定が、第１及び第２関連付けのパラメータを利用して実行される。各関連付けについて収集されたパラメータは、
−各ステーションにより表される（又は要求される）帯域幅（又はビットレートＤＲ１、ＤＲ２）の要求
−利用される物理的変調にリンクしたチャネル上で実際に利用可能な（又は実現される）帯域幅（又はビットレートｄｒ１、ｄｒ２）
−合計の帯域幅又は合計の残りの帯域幅
−所定の変調
−バーチャルアクセスポイントとステーションとの間で実際に利用される変調
−保証されたＱｏＳを要求するテレビストリーム又はベストエフォート送信モードを充足する純粋なデータのストリームなどの送信対象のストリームの性質
−ストリームの優先度
を有するグループに属する。
【００６４】
一変形によると、各ステーションのリザーブされたアクセス時間（又は拡張による他のステーションのｑｕｉｅｔ時間）を推定するためのパラメータのグループは、上述した１つ又は２つのパラメータしか有さない。他の変形によると、アクセス時間を推定するためのパラメータのグループは、例えば、実際のビットレートと第１及び第２関連付けの要求されるビットレートとの間のレシオ、すなわち、ＤＲ１／ｄｒ１及びＤＲ２／ｄｒ２など、上述されたグループの少なくとも２つのパラメータの組み合わせである。ＢＳＳ１のアクセス時間は、例えば、ＤＲ１／ｄｒ１に比例する。このとき、２つのＢＳＳセットのケースでは、ＢＳＳ２のｑｕｉｅｔ時間は（１−ＤＲ１／ｄｒ１）に比例する。同一の変調により通信するようクライアントが構成される他の変形によると（ｄｒ＝１＝ｄｒ２＝ｄｒ）、アクセス時間が所定の変調に従って計算される。例えば、計算について、最も高いビットレートを認める変調が所定の変調として選択される。図７において、変調により利用可能な異なるビットレートが示される。従って、合計の帯域幅又は合計の残りの帯域幅が、当該所定の変調に従って計算される。さらに、ＤＲに要求されるビットレート、すなわち、ステーションに割り当てられる帯域幅が、ビデオのトランスポートデータ（ＭＡＣ及び物理レイヤ）が追加されるビデオデータのトランスポート手段について要求されるビットレートに従って計算される。クライアントに割り当てる時間は、このとき、合計時間に対する合計ビットレート（（ＤＲ１／ｄｒ）＊Ｔ）に対するクライアントに要求されるビットレートのレシオに等しい。ｑｕｉｅｔ時間インターバルは、このとき（１−ＤＲ１／ｄｒ）＊Ｔとなる。
【００６５】
コントローラは、計算された時間に従って媒体（ＴＤＭＡフレーム）へのアクセスの時間的共有のフレーム期間を決定する。コントローラは、ＢＳＳに割り当てられた時間インターバルにフレームを分割する。すなわち、コントローラは、ステーションが他のステーションに割り当てられた時間インターバルを送信することを禁止する時間インターバルを決定する。アクセス時間は、ＢＳＳ（従って、それのステーション）リザーブされる。
【００６６】
一変形によると、パラメータが固定され（例えば、同一のビットレートが同一のステーションに対して要求される）、時間インターバルがスタート時に固定可能である。
【００６７】
効果的には、アクセスポイント又はコントローラは、各ステーションに割り当てられた時間とおそらく他のパラメータ（ストリームタイプ、ステーション識別子、ＭＡＣアドレス、要求されるビットレート、優先度など）を有するテーブルを維持する。第１ステーション１１１が第１バーチャルアクセスポイントＶＡＰ１と関連付けするとき、コントローラは、ステーションへの送信とステーションからの受信と（ダウンリンク及びアップリンクデータ）を含むそれの伝送について第１ステーション１１１においてリザーブする媒体へのアクセス時間を推定する。このとき、第２ステーション１１２がアクセスポイントと関連付けすることを所望するとき、コントローラは、他のステーションのｑｕｉｅｔ時間を控除する各ステーション１１１、１１２に割り当てられたアクセス時間を再計算し、テーブルを更新する（インターバル、ＱＥなど）。従って、本発明による方法は、効果的には、アクセスポイント１１上の関連付けの確立に対して動的であって、適応する。
【００６８】
最後に、ステップ６３中に、アクセスポイントはＢＳＳの１以上の関連付けされたノード宛てのｑｕｉｅｔ情報アイテムを送信する。ＡＰ（又はＶＡＰ）は、送信禁止情報（ＱＥ）を含むビーコンフレームのパケットを構成する。当該ｑｕｉｅｔ情報は、第２ＢＳＳセットの１以上のステーションに割り当てられた１以上の時間インターバル中にデータ又はデータのパケットを送信するための禁止を示す情報アイテムを有する。アクセスポイントは、時間インターバルをビーコンフレームに挿入するＱＥに変換する。ＱＥは、ＢＳＳが時間インターバル中に送信することが禁止されることを可能にする。ＱＥの時間インターバルが、次のビーコンのＴＢＴＴ（Ｔａｒｇｅｔ  Ｂｅａｃｏｎ  Ｔｒａｎｓｍｉｓｓｉｏｎ  Ｔｉｍｅ）に関して参照される。さらに、２つの異なるＢＳＳの時間インターバルが、第１ビーコン４１１のＴＢＴＴに関して参照される。従って、ＢＳＳ１のビーコンフレームのｑｕｉｅｔインターバル４１０が、ビーコン４１１のＴＢＴＴに関して参照される。ビーコンフレームＢＳＳ２のｑｕｉｅｔインターバル４２０が、ビーコン４２１のＴＢＴＴに関して参照される。図４に示されていない変形によると、ビーコンフレームを有するフレームは、同一のステーションがチャネルへのアクセスから禁止される複数のＱＥを有する。他方、フレームは、ステーションがデータを送信可能な複数の時間インターバル４１２、４２２を有することが可能である。
特に効果的な実施例によると、ＩＥＥＥ８０２．１１−２００７規格によりインフラストラクチャモードにおいてノードはＷｉ−Ｆｉ（登録商標）ネットワークを構成する。第１セットＢＳＳ１のバーチャルアクセスポイントＶＡＰ１を介し送信されるｑｕｉｅｔ情報が、第１セットＢＳＳ１のステーションにより受信され、第１セットのステーションが第２セットに割り当てられた１以上の時間インターバル中と、一般には第１セット以外のネットワークの他のノードセットに割り当てられた１以上の時間インターバル中に送信することを禁止する情報アイテムを有する。第２ノードセットＢＳＳ２はまた、第２セットのステーション１１２宛てのｑｕｉｅｔ情報アイテムを送信する第１セットのアクセスポイントＶＡＰ１と異なるバーチャルアクセスポイントＶＡＰ２を有し、これらのステーションは、ネットワークとのすべての通信の確立のため第２セットのアクセスポイントと関連付けされる。第２セットのアクセスポイントを介し送信されるｑｕｉｅｔ情報は、第２セットのステーションにより受信され、第１セットに割り当てられた１以上の時間インターバル中と、一般には第２セット以外のネットワークの他のノードセットに割り当てられた１以上の時間インターバル中に第２セットのステーションが送信することを禁止する情報アイテムを有する。一変形によると、ネットワークは２より多くのノードセットを有し、各セットは、ネットワークの他のセットに割り当てられた１以上の時間インターバル中の送信の禁止を示す情報アイテムを送信するバーチャルアクセスポイントを有し、当該情報はそれに関連付けされたステーションに各アクセスポイントを介し送信される。効果的には、第１セットの第１バーチャルアクセスポイントを介し送信されるｑｕｉｅｔ情報が、ＩＥＥＥ８０２．１１−２００７規格に規定されるように、ビーコンフレームのＱＥに含まれる。ＱＥは、効果的には、ｑｕｉｅｔ情報を受信する第１セットのノード又はステーションによるｑｕｉｅｔインターバルの位置決めを可能にする特定のパラメータセットの記述を有する。このパラメータセットは、ｑｕｉｅｔカウント、ｑｕｉｅｔ期間、ｑｕｉｅｔ持続時間及びｑｕｉｅｔオフセットのパラメータを有する。一変形によると、ビーコンフレームは複数のＱＥを有し、各ＱＥはｑｕｉｅｔインターバルに固有のパラメータセットの記述を含む。当該変形は、特に通信フレームがｎ個のサブフレーム（ｎ≧２）に分割されるとき、複数のｑｕｉｅｔインターバルが位置決めされることを可能にし、ｑｕｉｅｔインターバルは、所与のステーションセットによりサブフレーム毎に位置決めされる必要がある。
【００６９】
異なる変形によると、上述されたステップの要素は何れかの順序により実行される。従って、第２バーチャルアクセスポイントとステーションとの関連付けは、パラメータの収集前及び／又は時間インターバルの推定前に実行可能である。従って、第２バーチャルアクセスポイントの生成は、第１バーチャルアクセスポイントに対する時間インターバルの推定前後に実行可能である。
【００７０】
当然ながら、本発明は上述された実施例に限定されるものでない。
【００７１】
特に、本発明は、ＩＥＥＥ８０２．１１−２００７規格によるＷｉ−Ｆｉ（登録商標）タイプネットワークに限定されず、部分的にランダムなタイプのチャネルにアクセスするための方法を実現する何れかの有線又は無線ネットワークに拡張される。
【００７２】
効果的には、バーチャルアクセスポイントは関連付けのため一意的なノードでなく複数のノードに関連付けされ、これにより、当該ノードセットを他のノードから隔離する。
【００７３】
効果的には、本発明は、各ＢＳＳセットがステーションとバーチャルアクセスポイントとを有する２つのＢＳＳセットを有する上述された実施例に限定されるものでない。本発明は、２より多くのＢＳＳと互換性があり、任意数のステーションがこれらのＢＳＳに再グループ化可能である。
【００７４】
効果的には、ｑｕｉｅｔ情報アイテムを送信した各アクセスポイントは、ｑｕｉｅｔ情報に記述された時間インターバル中の送信を禁止する。
【００７５】
効果的には、クライアントが所定の向上した変調により通信可能であるとき、それは期待されるビットレートを取得し（保証され）、それが所定の向上した変調により通信できないとき、利用可能なビットレートは低下する（又はエラー数が増加する）。クライアントが向上した変調により通信できないとき、他のクライアントはそれの利用可能なビットレートが影響を受けることを観察しない。従って、クライアントの利用可能なビットレートはそれの受信状態に依存し、ネットワークの他のクライアントの受信状態にはもはや依存しない。このとき、本発明は、クライアント間の無線リンクを隔離するという効果を有する。
【００７６】
一変形によると、アクセスポイントは、それに関連付けされたステーション宛てのｑｕｉｅｔ情報アイテムを送信し、例えば、他のノードセット又はＢＳＳにより構成されるネットワーク（ＥＳＳとして知られる）に属する又は属しないＢＳＳの検出などのため、ｑｕｉｅｔ情報に指定された時間インターバル中に測定を実行する。
【００７７】
効果的には、ネットワーク（又はＥＳＳ）を構成するすべてのノードセット（又はＢＳＳ）は、チャネルにアクセスするため同じ方法と同じ通信プロトコルとを利用する。
【００７８】
一変形によると、例えば、レーダ干渉の検出測定などの測定をノードの１つが実行することを可能にするため、すべてのノードセットのすべてのノードが送信を禁止される複数の時間インターバルがある。他の変形によると、例えば、衝突のリスクとデータの消失とが限定される必要があるＱｏＳのないストリーム中など、すべてのセットのすべてのノードが送信の許可がされている１以上の時間インターバルがある。
【図１】
0006031091.tif 000002
【図２】
0006031091.tif 000003
【図３】
0006031091.tif 000004
【図４】
0006031091.tif 000005
【図５】
0006031091.tif 000006
【図６】
0006031091.tif 000007
【図７】
0006031091.tif 000008